(57)【要約】【課題】糖に対する身体代謝機能を評価するにあたって、手間が少なく信頼性の高い結果情報を示すことができる尿糖計を提供する。【解決手段】食直前尿糖測定手段により食直前尿糖値Ｂ１を測定し、食後尿糖時報手段によりこの測定から所定時間経過後に食後尿糖値を測定すべき旨を報知し、食後尿糖測定手段によりこの報知後に食後尿糖値Ｃ１を測定し、尿糖変化値演算手段により食後尿糖値と食直前尿糖値との差を示す尿糖変化値Ｘ１を演算し、糖量変化可否判定手段によりこの演算した尿糖変化値に基づいて身体内の糖量変化の可否について判定（「良好」、「やや高い」、「高い」を判定）し、尿糖変化情報出力手段により尿糖変化値及び身体内の糖量変化の可否についての指標を出力する。【選択図】図５
2006153849.tif 000002
【特許請求の範囲】
【請求項１】
食直前尿糖値を測定する食直前尿糖測定手段と、
前記食直前尿糖測定手段による食直前尿糖値の測定から所定時間経過後に食後尿糖値を測定すべき旨を報知する食後尿糖時報手段と、
前記食後尿糖時報手段による報知後に食後尿糖値を測定する食後尿糖測定手段と、
前記食後尿糖測定手段により測定した食後尿糖値と前記食直前尿糖測定手段により測定した食直前尿糖値との差を尿糖変化値として演算する尿糖変化値演算手段と、
前記尿糖変化値演算手段により演算した尿糖変化値を出力する尿糖変化情報出力手段と、
を備えることを特徴とする尿糖計。
【請求項２】
前記食直前尿糖値の測定から所定時間経過後は、食直前尿糖値の測定から２時間経過後であることを特徴とする請求項１記載の尿糖計。
【請求項３】
前記尿糖変化値演算手段により演算した尿糖変化値に基づいて身体内の糖量変化の可否について判定する糖量変化可否判定手段を更に備え、
前記尿糖変化情報出力手段は、更に、前記糖量変化可否判定手段により判定した身体内の糖量変化の可否についての指標を出力する
ことを特徴とする請求項１又は２記載の尿糖計。
【請求項４】
前記糖量変化可否判定手段は、身体内の糖量変化の可否について、尿糖変化値≦２０mg/dlの場合には可に該当する「良好」、２０mg/dl<尿糖変化値≦５０mg/dlの場合には否に該当する「やや高い」、５０mg/dl<尿糖変化値の場合には否に該当する「高い」と判定することを特徴とする請求項３記載の尿糖計。
【請求項５】
前記食後尿糖時報手段は、更に、前記糖量変化可否判定手段により判定した身体内の糖量変化が可でない場合に、前記食後尿糖測定手段による食後尿糖値の測定から所定時間経過後に食後尿糖値を測定すべき旨を報知することを特徴とする請求項３又は４記載の尿糖計。
【請求項６】
前記食後尿糖値の測定から所定時間経過後は、食後尿糖値の測定から１時間経過後であることを特徴とする請求項５記載の尿糖計。
【請求項７】
前記食直前尿糖測定手段により食直前尿糖値を測定する前に食前尿糖値を測定する食前尿糖測定手段と、
前記食前尿糖測定手段による食前尿糖値の測定から所定時間経過後に食直前尿糖値を測定すべき旨を報知する食直前尿糖時報手段と、
を更に備えることを特徴とする請求項１乃至６のうちいずれか１項に記載の尿糖計。
【請求項８】
前記食前尿糖値の測定から所定時間経過後は、食前尿糖値の測定から１時間経過後であることを特徴とする請求項７記載の尿糖計。
【請求項９】
基準食直前尿糖値を測定する基準食直前尿糖測定手段と、
前記基準食直前尿糖測定手段による基準食直前尿糖値の測定から所定時間経過後に基準食後尿糖値を測定すべき旨を報知する基準食後尿糖時報手段と、
前記基準食後尿糖時報手段による報知後に基準食後尿糖値を測定する基準食後尿糖測定手段と、
前記基準食後尿糖測定手段により測定した基準食後尿糖値と前記基準食直前尿糖測定手段により測定した基準食直前尿糖値との差を基準尿糖変化値として演算する基準尿糖変化値演算手段と、
通常食直前尿糖値を測定する通常食直前尿糖測定手段と、
前記通常食直前尿糖測定手段による通常食直前尿糖値の測定から所定時間経過後に通常食後尿糖値を測定すべき旨を報知する通常食後尿糖時報手段と、
前記通常食後尿糖時報手段による報知後に通常食後尿糖値を測定する通常食後尿糖測定手段と、
前記通常食後尿糖測定手段により測定した通常食後尿糖値と前記通常食直前尿糖測定手段により測定した通常食直前尿糖値との差を通常尿糖変化値として演算する通常尿糖変化値演算手段と、
前記通常尿糖変化値演算手段により演算した通常尿糖変化値と前記基準尿糖変化値演算手段により演算した基準尿糖変化値との差を食差尿糖変化値として演算する食差尿糖変化値演算手段と、
前記食差尿糖変化値演算手段により演算した食差尿糖変化値を出力する食差尿糖変化情報出力手段と、
を備えることを特徴とする尿糖計。
【請求項１０】
前記基準食直前尿糖値の測定から所定時間経過後及び前記通常食直前尿糖値の測定から所定時間経過後は、基準食直前尿糖値の測定から２時間経過後及び通常食直前尿糖値の測定から２時間経過後であることを特徴とする請求項９記載の尿糖計。
【請求項１１】
前記食差尿糖変化値演算手段により演算した食差尿糖変化値に基づいて通常の食事内容の可否について判定する食事内容可否判定手段を更に備え、
前記食差尿糖変化情報出力手段は、更に、前記食事内容可否判定手段により判定した通常の食事内容の可否についての指標を出力する
ことを特徴とする請求項９又は１０記載の尿糖計。
【請求項１２】
前記糖量変化可否判定手段は、通常の食事内容の可否について、食差尿糖変化値<−５０mg/dlの場合には可に該当する「少ない」、−５０mg/dl≦食差尿糖変化値≦５０mg/dlの場合には否に該当する「同等」、５０mg/dl<食差尿糖変化値の場合には否に該当する「多い」と判定することを特徴とする請求項１１記載の尿糖計。
【請求項１３】
前記基準食直前尿糖測定手段により基準食直前尿糖値を測定する前に基準食前尿糖値を測定する基準食前尿糖測定手段と、
前記基準食前尿糖測定手段による基準食前尿糖値の測定から所定時間経過後に基準食直前尿糖値を測定すべき旨を報知する基準食直前尿糖時報手段と、
前記通常食直前尿糖測定手段により通常食直前尿糖値を測定する前に通常食前尿糖値を測定する通常食前尿糖測定手段と、
前記通常食前尿糖測定手段による通常食前尿糖値の測定から所定時間経過後に通常食直前尿糖値を測定すべき旨を報知する通常食直前尿糖時報手段と、
を更に備えることを特徴とする請求項９乃至１２のうちいずれか１項に記載の尿糖計。
【請求項１４】
前記基準食前尿糖値の測定から所定時間経過後及び前記通常食前尿糖値の測定から所定時間経過後は、基準食前尿糖値の測定から１時間経過後及び通常食前尿糖値の測定から１時間経過後であることを特徴とする請求項１３記載の尿糖計。
【発明の詳細な説明】
【技術分野】
【０００１】
本発明は、食事前後における身体内の高血糖状態を測定する尿糖計に関する。
【背景技術】
【０００２】
糖尿病に代表されるように、糖に対する身体代謝機能が低下すると、血液中や尿中における糖濃度が高くなる。従来、糖尿病治療やその予防のため、かかる糖に対する身体代謝機能の検査は、被測定者から摂取した血液からその採取時における血液中の糖濃度（血糖値）を測定する血糖計（例えば、特許文献１や特許文献２）、又は、被測定者から排泄された尿からその排泄時における尿中の糖濃度（尿糖値）を測定する尿糖計（例えば、特許文献３）を用いて、食後一定時間経過後に血糖値又は尿糖値を測定し、この測定時における血糖値又は尿糖値の大きさから糖に対する身体代謝機能の可否を確認することによって行われている。ここで、食後一定時間経過後に測定するのは、おおよそ食後一定時間経過後に血糖値又は尿糖値がピーク値となり、このピーク値に基づいて糖に対する身体代謝機能を評価するためである。
【特許文献１】特開２００３−３３４１８０号公報
【特許文献２】特開２００３−３０２４０６号公報
【特許文献３】特開平９−２９７１２０号公報
【発明の開示】
【発明が解決しようとする課題】
【０００３】
しかしながら、摂取した食事に基づいての血液中及び尿中に生じる糖濃度は、摂取した食事の種類によって腸での消化作用や炭水化物の含有量が異なるため、血糖値のピーク時間とピークの値が異なる。さらに、血糖値を元にもどろうとする力、いわゆる耐糖能が個人によっても異なっている。したがって、必ずしも食後一定時間経過後にピーク値になるとは限らない。一方、上述した従来の血糖計又は尿糖計は、採取時又は排泄時における血糖値又は尿糖値を測定するものである。
【０００４】
したがって、従来の血糖計を用いての糖に対する身体代謝機能の評価は、従来の血糖計により食後一定時間経過後（例えば、血糖計の場合には食後１時間経過後）に測定した血糖値又は尿糖値が必ずしもピーク値であるとは限らないため、信頼性に欠けるところがあった。
【０００５】
また、従来の血糖計を用いて信頼性の高い評価をするためには、食後短時間間隔毎（例えば、食後１０分間隔毎）に血糖値を測定してその変化傾向を調べ、ピーク値となる時点を特定しなければならないため、手間が掛かった。
【０００６】
そこで、本発明は、このような上述したような事情に鑑みて、糖に対する身体代謝機能を評価するにあたって、手間が少なく信頼性の高い結果情報を示すことができる尿糖計を提供することを目的とする。
【課題を解決するための手段】
【０００７】
上記目的を達成するために、一つの観点によると、本発明の尿糖計は、食直前尿糖値を測定する食直前尿糖測定手段と、前記食直前尿糖測定手段による食直前尿糖値の測定から所定時間経過後に食後尿糖値を測定すべき旨を報知する食後尿糖時報手段と、前記食後尿糖時報手段による報知後に食後尿糖値を測定する食後尿糖測定手段と、前記食後尿糖測定手段により測定した食後尿糖値と前記食直前尿糖測定手段により測定した食直前尿糖値との差を尿糖変化値として演算する尿糖変化値演算手段と、前記尿糖変化値演算手段により演算した尿糖変化値を出力する尿糖変化情報出力手段と、を備えることを特徴とする。
【０００８】
また、この観点の一つの形態によると、前記食直前尿糖値の測定から所定時間経過後は、食直前尿糖値の測定から２時間経過後である。
【０００９】
また、この観点の別の形態によると、前記尿糖変化値演算手段により演算した尿糖変化値に基づいて身体内の糖量変化の可否について判定する糖量変化可否判定手段を更に備え、前記尿糖変化情報出力手段は、更に、前記糖量変化可否判定手段により判定した身体内の糖量変化の可否についての指標を出力する。
【００１０】
また、この観点の別の形態によると、前記糖量変化可否判定手段は、身体内の糖量変化の可否について、尿糖変化値≦２０mg/dlの場合には可に該当する「良好」、２０mg/dl<尿糖変化値≦５０mg/dlの場合には否に該当する「やや高い」、５０mg/dl<尿糖変化値の場合には否に該当する「高い」と判定する。
【００１１】
また、この観点の別の形態によると、前記食後尿糖時報手段は、更に、前記糖量変化可否判定手段により判定した身体内の糖量変化が可でない場合に、前記食後尿糖測定手段による食後尿糖値の測定から所定時間経過後に、食後尿糖値を測定すべき旨を報知する。
【００１２】
また、この観点の別の形態によると、前記食後尿糖値の測定から所定時間経過後は、食後尿糖値の測定から１時間経過後である。
【００１３】
また、この観点の別の形態によると、前記食直前尿糖測定手段により食直前尿糖値を測定する前に食前尿糖値を測定する食前尿糖測定手段と、前記食前尿糖測定手段による食前尿糖値の測定から所定時間経過後に食直前尿糖値を測定すべき旨を報知する食直前尿糖時報手段と、を更に備える。
【００１４】
また、この観点の別の形態によると、前記食前尿糖値の測定から所定時間経過後は、食前尿糖値の測定から１時間経過後である。
【００１５】
また、別の観点によると、本発明の尿糖計は、基準食直前尿糖値を測定する基準食直前尿糖測定手段と、前記基準食直前尿糖測定手段による基準食直前尿糖値の測定から所定時間経過後に基準食後尿糖値を測定すべき旨を報知する基準食後尿糖時報手段と、前記基準食後尿糖時報手段による報知後に基準食後尿糖値を測定する基準食後尿糖測定手段と、前記基準食後尿糖測定手段により測定した基準食後尿糖値と前記基準食直前尿糖測定手段により測定した基準食直前尿糖値との差を基準尿糖変化値として演算する基準尿糖変化値演算手段と、通常食直前尿糖値を測定する通常食直前尿糖測定手段と、前記通常食直前尿糖測定手段による通常食直前尿糖値の測定から所定時間経過後に通常食後尿糖値を測定すべき旨を報知する通常食後尿糖時報手段と、前記通常食後尿糖時報手段による報知後に通常食後尿糖値を測定する通常食後尿糖測定手段と、前記通常食後尿糖測定手段により測定した通常食後尿糖値と前記通常食直前尿糖測定手段により測定した通常食直前尿糖値との差を通常尿糖変化値として演算する通常尿糖変化値演算手段と、前記通常尿糖変化値演算手段により演算した通常尿糖変化値と前記基準尿糖変化値演算手段により演算した基準尿糖変化値との差を食差尿糖変化値として演算する食差尿糖変化値演算手段と、前記食差尿糖変化値演算手段により演算した食差尿糖変化値を出力する食差尿糖変化情報出力手段と、を備えることを特徴とする。
【００１６】
また、この観点の一つの形態によると、前記基準食直前尿糖値の測定から所定時間経過後及び前記通常食直前尿糖値の測定から所定時間経過後は、基準食直前尿糖値の測定から２時間経過後及び通常食直前尿糖値の測定から２時間経過後である。
【００１７】
また、この観点の別の形態によると、前記食差尿糖変化値演算手段により演算した食差尿糖変化値に基づいて通常の食事内容の可否について判定する食事内容可否判定手段を更に備え、前記食差尿糖変化情報出力手段は、更に、前記食事内容可否判定手段により判定した通常の食事内容の可否についての指標を出力する。
【００１８】
また、この観点の別の形態によると、前記糖量変化可否判定手段は、通常の食事内容の可否について、食差尿糖変化値<−５０mg/dlの場合には可に該当する「少ない」、−５０mg/dl≦食差尿糖変化値≦５０mg/dlの場合には否に該当する「同等」、５０mg/dl<食差尿糖変化値の場合には否に該当する「多い」と判定する。
【００１９】
また、この観点の別の形態によると、前記基準食直前尿糖測定手段により基準食直前尿糖値を測定する前に基準食前尿糖値を測定する基準食前尿糖測定手段と、前記基準食前尿糖測定手段による基準食前尿糖値の測定から所定時間経過後に基準食直前尿糖値を測定すべき旨を報知する基準食直前尿糖時報手段と、前記通常食直前尿糖測定手段により通常食直前尿糖値を測定する前に通常食前尿糖値を測定する通常食前尿糖測定手段と、前記通常食前尿糖測定手段による通常食前尿糖値の測定から所定時間経過後に通常食直前尿糖値を測定すべき旨を報知する通常食直前尿糖時報手段と、を更に備える。
【００２０】
また、この観点の別の形態によると、前記基準食前尿糖値の測定から所定時間経過後及び前記通常食前尿糖値の測定から所定時間経過後は、基準食前尿糖値の測定から１時間経過後及び通常食前尿糖値の測定から１時間経過後である。
【発明の効果】
【００２１】
本発明の尿糖計は、食直前尿糖測定手段により食直前尿糖値を測定し、食後尿糖時報手段により所定時間（好ましくは２時間）経過後に食後尿糖値を測定すべき旨を報知し、食後尿糖測定手段により食後尿糖値を測定し、尿糖変化値演算手段により食後尿糖値と食直前尿糖値との差を示す尿糖変化値を演算し、尿糖変化情報出力手段により尿糖変化値を出力する。これによると、食直前及び食後だけの測定である。また、摂取した食事に基づいて血液中に生じる高血糖状態は、食直前の測定により、それ以前に膀胱に溜まっていた尿を排尿することによって、所定時間経過後の測定で得られる尿糖変化値に反映される。換言すると、身体代謝機能が不十分により食事後に身体内で利用が行われないほとんどの糖量を確保できる。したがって、被測定者にとって、手間が少なく信頼性の高い尿糖変化値を提供することができる。
【００２２】
また、食直前尿糖値の測定から２時間経過後が、食事後に身体内で利用が行われない糖が尿中に排泄されるとともに、尿の増加により薄まることによる影響が少ない。したがって、被測定者にとって、より信頼性の高い尿糖変化値を提供することができる。
【００２３】
また、糖量変化可否判定手段により身体内の糖量変化の可否について判定し、尿糖変化情報出力手段によりその指標を出力することで、被測定者とって、手間なく容易に、糖に対する身体代謝機能の判定結果を提供することができる。
【００２４】
また、身体内の糖量変化の可否について、尿糖変化値≦２０mg/dlの場合に「良好」、２０mg/dl<尿糖変化値≦５０mg/dlの場合に「やや高い」、５０mg/dl<尿糖変化値の場合に「高い」と判定することで、被測定者とって、より有益な糖に対する身体代謝機能の判定結果を提供することができる。
【００２５】
また、食後尿糖時報手段において、判定結果が身体内の糖量変化が可でない場合に、所定時間（好ましくは１時間）経過後に、食後尿糖値を測定すべき旨を報知することで、被測定者とって、継続して、尿糖変化値及び糖に対する身体代謝機能の判定結果を提供することができる。
【００２６】
また、食後尿糖値の測定から１時間経過後が、尿のたまり具合と評価間隔に適するため、被測定者とって、負担が少なく、継続して尿糖変化値及び糖に対する身体代謝機能の判定結果を提供することができる。
【００２７】
また、食前尿糖測定手段により食前尿糖値を測定し、食直前尿糖時報手段により所定時間（好ましくは１時間）経過後に食直前尿糖値を測定すべき旨を報知することで、被測定者とって、正確な食直前尿糖値を提供することができる。
【００２８】
また、食前尿糖値の測定から１時間経過後が、尿のたまり具合に適するため、被測定者とって、負担が少なく食直前尿糖値を正確に提供することができる。
【００２９】
また、本発明の尿糖計は、基準食直前尿糖測定手段により基準食直前尿糖値を測定し、基準食後尿糖時報手段により所定時間（好ましくは２時間）経過後に基準食後尿糖値を測定すべき旨を報知し、基準食後尿糖測定手段により基準食後尿糖値を測定し、基準尿糖変化値演算手段により基準食後尿糖値と基準食直前尿糖値との差を示す基準尿糖変化値を演算し、通常食直前尿糖測定手段により通常食直前尿糖値を測定し、通常食後尿糖時報手段により所定時間（好ましくは２時間）経過後に通常食後尿糖値を測定すべき旨を報知し、通常食後尿糖測定手段により通常食後尿糖値を測定し、通常尿糖変化値演算手段により通常食後尿糖値と通常食直前尿糖値との差を示す通常尿糖変化値を演算し、食差尿糖変化値演算手段により通常尿糖変化値と基準尿糖変化値との差を示す食差尿糖変化値を演算し、食差尿糖変化情報出力手段により食差尿糖変化値を出力する。これによると、被測定者にとって、摂取する食事内容の違いによる信頼性の高い食差尿糖変化値を提供することができる。
【００３０】
また、基準食直前尿糖値の測定から２時間経過後及び通常食直前尿糖値の測定から２時間経過後が、食事後に身体内で利用が行われない糖が尿中に排泄されるとともに、尿の増加により薄まることによる影響が少ない。したがって、被測定者にとって、より信頼性の高い食差尿糖変化値を提供することができる。
【００３１】
また、食事内容可否判定手段により通常の食事内容の可否について判定し、食差尿糖変化情報出力手段によりその指標を出力することで、被測定者とって、手間なく容易に、食事内容に対する判定結果を提供することができる。
【００３２】
また、通常の食事内容の可否について、食差尿糖変化値<−５０mg/dlの場合に「少ない」、−５０mg/dl≦食差尿糖変化値≦５０mg/dlの場合に「同等」、５０mg/dl<食差尿糖変化値の場合に「多い」と判定することで、被測定者とって、より有益な食事内容に対する判定結果を提供することができる。
【００３３】
また、基準食前尿糖測定手段により基準食前尿糖値を測定し、基準食直前尿糖時報手段により所定時間（好ましくは１時間）経過後に基準食直前尿糖値を測定すべき旨を報知し、通常食前尿糖測定手段により通常食前尿糖値を測定し、通常食直前尿糖時報手段により所定時間（好ましくは１時間）経過後に通常食直前尿糖値を測定すべき旨を報知することで、被測定者とって、基準食直前尿糖値及び通常食前尿糖値を正確に提供することができる。
【００３４】
また、基準食前尿糖値の測定から１時間経過後及び通常食前尿糖値の測定から１時間経過後が、尿のたまり具合に適するため、被測定者とって、負担が少なく、正確な基準食直前尿糖値及び通常食前尿糖値を提供することができる。
【発明を実施するための最良の形態】
【００３５】
本発明の尿糖計は、二つのイベントモード機能を有し、そのうちの一方のイベントモード機能を達成するために、食前尿糖測定手段、食直前尿糖時報手段、食直前尿糖測定手段、食後尿糖時報手段、食後尿糖測定手段、尿糖変化値演算手段、糖量変化可否判定手段及び尿糖変化情報出力手段にて構成し、また、そのうちの他方のイベントモード機能を達成するために、基準食前尿糖測定手段、基準食直前尿糖時報手段、基準食直前尿糖測定手段、基準食後尿糖時報手段、基準食後尿糖測定手段、基準尿糖変化値演算手段、通常食前尿糖測定手段、通常食直前尿糖時報手段、通常食直前尿糖測定手段、通常食後尿糖時報手段、通常食後尿糖測定手段、通常尿糖変化値演算手段、食差尿糖変化値演算手段、食事内容可否判定手段及び食差尿糖変化情報出力手段にて構成する。
【００３６】
なお、ここで、基準食とは、専門家（医者、栄養士等）、文献（糖尿病に関する料理本等）等による指導に基づいた糖尿病に関して適する食事（例えば、被測定者にとって、炭水化物、たんぱく質、脂質のバランスと総カロリーとの調整がとれた食事）のことを示す。また、通常食とは、被測定者が日々摂取する食事のことを示す。
【００３７】
まず、一方のイベントモード機能（食前後における尿糖変化値を求め、身体の糖量変化について判定するための機能）を達成するための各手段について詳述する。
【００３８】
食前尿糖測定手段は、食直前尿糖測定手段により食直前尿糖値を測定する前に食前尿糖値を測定する。前回の食後において尿中に排泄されて残留している糖成分の影響を受けないようにするための手段である。
【００３９】
食直前尿糖時報手段は、食前尿糖測定手段による食前尿糖値の測定から所定時間経過後に、食直前尿糖値を測定すべき旨を報知する。ここで、所定時間とは、食直前までに検尿のための尿としてたまるに適する時間のこといい、好ましくは１時間である。
【００４０】
食直前尿糖測定手段は、食直前尿糖値を測定する。尿糖変化値を求めるために基準とする尿糖値を取得するための手段である。
【００４１】
食後尿糖時報手段は、食直前尿糖測定手段による食直前尿糖値の測定から所定時間経過後に食後尿糖値を測定すべき旨を報知する。ここで、所定時間とは、食事後に身体内で利用が行われない糖が尿中に排泄されるとともに、尿の増加により薄まることによる影響が少ない時間、すなわち、検尿のための尿としてたまるに適する時間のことをいい、好ましくは２時間である。
【００４２】
食後尿糖測定手段は、食後尿糖時報手段による報知後に食後尿糖値を測定する。尿糖変化値を求めるために対象とする尿糖値を取得するための手段である。
【００４３】
尿糖変化値演算手段は、食後尿糖測定手段により測定した食後尿糖値と食直前尿糖測定手段により測定した食直前尿糖値との差を尿糖変化値として演算する。身体代謝機能が不十分により食事後に身体内で利用が行われない糖量を求めるための手段である。
【００４４】
糖量変化可否判定手段は、尿糖変化値演算手段により演算した尿糖変化値に基づいて身体内の糖量変化の可否について判定する。身体代謝機能が不十分により食事後に身体内で利用が行われない糖量について自動的に判定するための手段である。ここで、身体内の糖量変化の可否については、尿糖変化値≦２０mg/dlの場合には「良好」、２０mg/dl<尿糖変化値≦５０mg/dlの場合には「やや高い」、５０mg/dl<尿糖変化値の場合には「高い」と判定することが望ましい。糖尿病、動脈硬化症等といった疾病やその予防の判断に適する判定範囲だからである。
【００４５】
尿糖変化情報出力手段は、尿糖変化値演算手段により演算した尿糖変化値及び糖量変化可否判定手段により判定した身体内の糖量変化の可否についての指標を出力する。被測定者に結果を知らしめるための手段である。
【００４６】
このような構成によると、食前尿糖測定手段により食前尿糖値を測定し、食直前尿糖時報手段により食前尿糖値の測定から所定時間（好ましくは１時間）経過後に食直前尿糖値を測定すべき旨を報知し、食直前尿糖測定手段によりこの報知後に食直前尿糖値を測定し、食後尿糖時報手段により食直前尿糖値の測定から所定時間（好ましくは２時間）経過後に食後尿糖値を測定すべき旨を報知し、食後尿糖測定手段によりこの報知後に食後尿糖値を測定し、尿糖変化値演算手段により食後尿糖値と食直前尿糖値との差を示す尿糖変化値を演算し、糖量変化可否判定手段によりこの演算した尿糖変化値に基づいて身体内の糖量変化の可否について判定（好ましくは、尿糖変化値≦２０mg/dlの場合には「良好」、２０mg/dl<尿糖変化値≦５０mg/dlの場合には「やや高い」、５０mg/dl<尿糖変化値の場合には「高い」と判定）し、尿糖変化情報出力手段により尿糖変化値及び身体内の糖量変化の可否についての指標を出力し、食後尿糖時報手段によりこの判定した身体内の糖量変化が可でない場合に食後尿糖値の測定から所定時間（好ましくは１時間）経過後に食後尿糖値を測定すべき旨を報知するため、被測定者にとって、手間が少なく容易に正確に信頼性の高い尿糖変化値及び糖に対する身体代謝機能の判定結果を提供することができる。
【００４７】
次に、他方のイベントモード機能（基準食と通常食とにおける食差尿糖変化値を求め、通常する食事の可否について判定するための機能）を達成するための各手段について詳述する。
【００４８】
基準食前尿糖測定手段は、基準食直前尿糖測定手段により食直前尿糖値を測定する前に基準食前尿糖値を測定する。前回の食後において尿中に排泄されて残留している糖成分の影響を受けないようにするための手段である。
【００４９】
基準食直前尿糖時報手段は、基準食前尿糖測定手段による基準食前尿糖値の測定から所定時間経過後に基準食直前尿糖値を測定すべき旨を報知する。ここで、所定時間とは、基準食直前までに検尿のための尿としてたまるに適する時間のこといい、好ましくは１時間である。
【００５０】
基準食直前尿糖測定手段は、基準食直前尿糖値を測定する。基準尿糖変化値を求めるために基準とする尿糖値を取得するための手段である。
【００５１】
基準食後尿糖時報手段は、基準食直前尿糖測定手段による基準食直前尿糖値の測定から所定時間経過後に基準食後尿糖値を測定すべき旨を報知する。ここで、所定時間とは、基準食事後に身体内で利用が行われない糖が尿中に排泄されるとともに、尿の増加により薄まることによる影響が少ない時間、すなわち、検尿のための尿としてたまるに適する時間のことをいい、好ましくは２時間である。
【００５２】
基準食後尿糖測定手段は、基準食後尿糖時報手段による報知後に基準食後尿糖値を測定する。基準尿糖変化値を求めるために対象とする尿糖値を取得するための手段である。
【００５３】
基準尿糖変化値演算手段は、基準食後尿糖測定手段により測定した基準食後尿糖値と基準食直前尿糖測定手段により測定した基準食直前尿糖値との差を基準尿糖変化値として演算する。身体代謝機能が不十分により基準食事後に身体内で利用が行われない糖量を求めるための手段である。
【００５４】
通常食前尿糖測定手段は、通常食直前尿糖測定手段により食直前尿糖値を測定する前に通常食前尿糖値を測定する。前回の食後において尿中に排泄されて残留している糖成分の影響を受けないようにするための手段である。
【００５５】
通常食直前尿糖時報手段は、通常食前尿糖測定手段による通常食前尿糖値の測定から所定時間経過後に通常食直前尿糖値を測定すべき旨を報知する。ここで、所定時間とは、通常食直前までに検尿のための尿としてたまるに適する時間のこといい、好ましくは１時間である。
【００５６】
通常食直前尿糖測定手段は、通常食直前尿糖値を測定する。通常尿糖変化値を求めるために基準とする尿糖値を取得するための手段である。
【００５７】
通常食後尿糖時報手段は、通常食直前尿糖測定手段による通常食直前尿糖値の測定から所定時間経過後に通常食後尿糖値を測定すべき旨を報知する。ここで、所定時間とは、通常食事後に身体内で利用が行われない糖が尿中に排泄されるとともに、尿の増加により薄まることによる影響が少ない時間、すなわち、検尿のための尿としてたまるに適する時間のことをいい、好ましくは２時間である。
【００５８】
通常食後尿糖測定手段は、通常食後尿糖時報手段による報知後に通常食後尿糖値を測定する。通常尿糖変化値を求めるために対象とする尿糖値を取得するための手段である。
【００５９】
通常尿糖変化値演算手段は、通常食後尿糖測定手段により測定した通常食後尿糖値と通常食直前尿糖測定手段により測定した通常食直前尿糖値との差を通常尿糖変化値として演算する。身体代謝機能が不十分により通常食事後に身体内で利用が行われない糖量を求めるための手段である。
【００６０】
食差尿糖変化値演算手段は、通常尿糖変化値演算手段により演算した通常尿糖変化値と基準尿糖変化値演算手段により演算した基準尿糖変化値との差を食差尿糖変化値として演算する。摂取した食事内容の違いにより身体内で利用が行われない糖量を求めるための手段である。
【００６１】
食事内容可否判定手段は、食差尿糖変化値演算手段により演算した食差尿糖変化値に基づいて通常の食事内容の可否について判定する。摂取した食事内容の違いにより身体内で利用が行われない糖量について自動的に判定するための手段である。ここで、通常の食事内容の可否については、食差尿糖変化値<−５０mg/dlの場合には「少ない」、−５０mg/dl≦食差尿糖変化値≦５０mg/dlの場合には「同等」、５０mg/dl<食差尿糖変化値の場合には「多い」と判定することが望ましい。糖尿病、動脈硬化症等といった疾病者やその予防者の通常する食事の適否の判断に適する判定範囲だからである。
【００６２】
食差尿糖変化情報出力手段は、食差尿糖変化値演算手段により演算した食差尿糖変化値及び食事内容可否判定手段により判定した通常の食事内容の可否についての指標を出力する。被測定者に結果を知らしめるための手段である。
【００６３】
このような構成によると、基準食前尿糖測定手段により基準尿糖値を測定し、基準食直前尿糖時報手段により基準食前尿糖値の測定から所定時間経過後（好ましくは１時間）に基準食直前尿糖値を測定すべき旨を報知し、基準食直前尿糖測定手段によりこの報知後に基準食直前尿糖値を測定し、基準食後尿糖時報手段により基準食直前尿糖値の測定から所定時間（好ましくは２時間）経過後に基準食後尿糖値を測定すべき旨を報知し、基準食後尿糖測定手段によりこの報知後に基準食後尿糖値を測定し、基準尿糖変化値演算手段により基準食後尿糖値と基準食直前尿糖値との差を示す基準尿糖変化値を演算し、通常食前尿糖測定手段により通常尿糖値を測定し、通常食直前尿糖時報手段により通常食前尿糖値の測定から所定時間（好ましくは１時間）経過後に通常食直前尿糖値を測定すべき旨を報知し、通常食直前尿糖測定手段によりこの報知後に通常食直前尿糖値を測定し、通常食後尿糖時報手段により通常食直前尿糖値の測定から所定時間（好ましくは２時間）経過後に通常食後尿糖値を測定すべき旨を報知し、通常食後尿糖測定手段によりこの報知後に通常食後尿糖値を測定し、通常尿糖変化値演算手段により通常食後尿糖値と通常食直前尿糖値との差を示す通常尿糖変化値を演算し、食差尿糖変化値演算手段により通常尿糖変化値と基準尿糖変化値との差を示す食差尿糖変化値を演算し、食事内容可否判定手段によりこの演算した食差尿糖変化値に基づいて通常の食事内容の可否について判定（好ましくは、食差尿糖変化値<−５０mg/dlの場合には「少ない」、−５０mg/dl≦食差尿糖変化値≦５０mg/dlの場合には「同等」、５０mg/dl<食差尿糖変化値の場合には「多い」と判定）し、食差尿糖変化情報出力手段により食差尿糖変化値及び通常の食事内容の可否についての指標を出力するため、被測定者にとって、手間が少なく容易に正確に信頼性の高い食差尿糖変化値及び食事内容に対する判定結果を提供することができる。
【００６４】
以下、上述した形態について、中高濃度の尿糖のみならず、従来において正確な検出が困難であった低濃度域の尿糖の検出をも可能な尿糖センサを有する尿糖計を、実施例として具体的に説明する。
【実施例】
【００６５】
まず、図１及び図２に示す外観図、図３に示すブロック図及び図４に示す表示部の表示形態を示す図を用いて、本発明に係わる尿糖計の構成について詳述する。
【００６６】
本発明に係わる尿糖計１は、尿中糖分を電気化学的に検出するセンサカートリッジ１１と、センサカートリッジ１１による検出に基づいて尿中糖分濃度の測定・表示を行いかつ測定の際に保持をする部分となる本体２１とによって全体を大略構成する。なお、本発明に係わる尿糖計１は、使用しない時には、磁石４２を有するスタンド４１に挿入設置することにより保管可能なものである。
【００６７】
センサカートリッジ１１は、尿糖センサ１３、サーミスタ１４、スタンド検出リードスイッチ１５、コネクタ１６及びコネクタ接続検出回路１７を外体１２に備える。また、本体２１は、電源２３、操作ボタン２４（２４ａ、２４ｂ）、Ｄ／Ａ変換装置２５、センサ駆動回路２６、Ａ／Ｄ変換装置２７、ブザー２８、表示装置２９、外部入出力インターフェース端子３０、コネクタ３１及びマイクロコンピュータ３２を外体２２に備える。
【００６８】
尿糖センサ１３は、尿中の夾雑物質の影響を排除して、低中高の広範囲に渡る尿中糖分濃度について検出する。
【００６９】
サーミスタ１４は、測定の際における尿の温度を検出し、尿糖センサ１３の温度特性を補正するためのものである。
【００７０】
スタンド検出リードスイッチ１５は、スタンド４１から尿糖計１を取り出した際に、磁石４２における磁場の強さの変動を検出し、モード設定、校正及び尿中糖分濃度の測定等を可能とするためのものである。
【００７１】
電源２３は、電池であり、尿糖計１の電気系統各部に電力を供給する。
【００７２】
操作ボタン２４（２４ａ、２４ｂ）は、押されたことを検出し、モードや食事内容を選択して設定登録したり、校正したりするためのものである。
【００７３】
Ｄ／Ａ変換装置２５は、マイクロコンピュータ３２からのデジタル信号（駆動信号）をアナログ信号（駆動信号）に変換して出力する。
【００７４】
センサ駆動回路２６は、Ｄ／Ａ変換装置２５からの駆動信号に基づいて尿糖センサ１３に駆動信号を供給するとともに、尿糖センサ１３にて検出された検出信号を入出力する。
【００７５】
Ａ／Ｄ変換装置２７は、センサ駆動回路２６からのアナログ信号（検出信号）をデジタル信号（検出信号）に変換して出力する。
【００７６】
ブザー２８は、マイクロコンピュータ３２からの信号に基づいて、尿糖測定をする旨を報知するためのブザー音を発生する。
【００７７】
表示装置２９は、マイクロコンピュータ３２からの信号に基づいて、校正の状況、測定の状況、センサ交換の告知、電池交換の告知、選択モードの状況、次の測定の予告、尿糖測定結果の告知及び判定結果の告知を表示する。より具体的に詳述すると、図４に示す表示内容のうち、「基準あわせ」及びその上の「水滴マーク」を校正時に点灯することによって校正の状況を表示する。また、「準備中」、「測定」、「洗浄」又は「終了」のいずれかを測定過程中に点灯することによって測定の状況を表示する。更に、「センサ交換」を尿糖センサ１３の交換時期に点灯することによってセンサカートリッジ１１交換の告知を表示する。更に、「電池マーク」を交換時期に点灯することによって電池交換の告知を表示する。更に、「モード」と、その横の「１」、「２」、「３」及び「４」のうち選択されているものとをイベント時に点灯することによって選択モードの状況を表示する。更に、「次測定予告」及び「時間後」と、これら間の「１」又は「２」のいずれかをイベント時に点灯することによって次の測定の予告を表示する。更に、「４桁の数字」にて尿糖変化値、基準尿糖変化値又は通常尿糖変化値を各々の測定後に点灯することによって尿糖測定結果の告知を表示する。更に、３つの「三角マーク」のうち外体２２に印刷された判定内容に該当する位置するものを各々の判定後に点灯することによって選択モードの状況を表示する。
【００７８】
外部入出力インターフェース端子３０は、マイクロコンピュータ３２内の外部入出力インターフェース３８からの信号に基づいて、パーソナルコンピュータ等の外部機器と各種データ（外部機器からの入力データや尿糖計１からの尿糖測定結果・判定結果等の出力データ）の通信を行う。
【００７９】
コネクタ１６、３１は、センサカートリッジ１１と本体２１との間の電気的な通信を可能に接続する。
【００８０】
コネクタ接続検出回路１７は、コネクタ１６とコネクタ３１とが接続状態となっているかを検出する。
【００８１】
マイクロコンピュータ３２は、各種尿糖値や各種可否判定等を演算し、かつ、各種を制御する演算及び制御装置３３、制御及び演算用プログラム等を記憶するＲＯＭ３４、演算結果・外部より読み込んだプログラム等を一時的に記憶するＲＡＭ３５、各種報知のために計時する時計３６、選択されたモードや食事内容・演算した各種尿糖値・判定した判定結果等を更新されるまで記憶する記憶補助装置３７、パーソナルコンピュータ等の外部機器と各種データ（外部機器からの入力データや尿糖計１からの尿糖測定結果・判定結果等の出力データ）の通信変換をする外部入出力インターフェース３８、電気系統各部につながるＩＯポート等を備え、食直前尿糖値・食後尿糖値・基準食前尿糖値・基準食後尿糖値・通常食前尿糖値・通常食後尿糖値を測定すべき旨の報知、食前尿糖値・食直前尿糖値・食後尿糖値・基準食前尿糖値・食直前尿糖値・基準食後尿糖値・通常食前尿糖値・通常食直前尿糖値・通常食後尿糖値の測定、尿糖変化値（食後尿糖値と食直前尿糖値との差）・基準尿糖変化値（基準食後尿糖値と基準食直前尿糖値との差）・通常尿糖変化値（通常食後尿糖値と通常食直前尿糖値との差）・食差尿糖変化値（通常尿糖変化値と基準尿糖変化値との差）の演算、尿糖変化値に基づいた身体内の糖量変化の可否について・食差尿糖変化値に基づいた通常の食事内容の可否についての判定、及びこれら演算・判定結果の出力に係わる制御等の処理を行う。
【００８２】
なお、尿糖センサ１３、Ｄ／Ａ変換装置２５、センサ駆動回路２６、Ａ／Ｄ変換装置２７及びマイクロコンピュータ３２による構成は、食前尿糖測定手段、食直前尿糖測定手段、食後尿糖測定手段、基準食前尿糖測定手段、基準食直前尿糖測定手段、基準食後尿糖測定手段、通常食前尿糖測定手段、通常食直前尿糖測定手段及び通常食後尿糖測定手段に該当する。また、ブザー２８及びマイクロコンピュータ３２による構成は、食直前尿糖時報手段、食後尿糖時報手段、基準食直前尿糖時報手段、基準食後尿糖時報手段、通常食直前尿糖時報手段及び通常食後尿糖時報手段に該当する。更に、マイクロコンピュータ３２による構成は、尿糖変化値演算手段、糖量変化可否判定手段、基準尿糖変化値演算手段、通常尿糖変化値演算手段、食差尿糖変化値演算手段及び食事内容可否判定手段に該当する。更に、マイクロコンピュータ３２及び表示装置２９、又はマイクロコンピュータ３２及び外部入出力インターフェース端子３０による構成は、尿糖変化情報出力手段及び食差尿糖変化情報出力手段に該当する。
【００８３】
次に、図５及び図６に示すフローチャートを用いて、本発明に係わる尿糖計の取扱、操作及び動作について説明する。
【００８４】
まず、スタンド４１から尿糖計１が取り抜かれると、スタンド検出リードスイッチ１５が作動し、電源２３が電気系統各部に電力を供給し、尿糖計１は動作状態となる（ステップＳ１）。
【００８５】
続いて、マイクロコンピュータ３２において、操作ボタン２４（２４ａ、２４ｂ）から付加モードが選択されたか否かを判定する（ステップＳ２）。ここで、付加モードとは、モード３（食前尿糖値を測定後に食直前尿糖値を測定するための機能、又は基準食前尿糖値を測定後に基準食直前尿糖値及び通常食前尿糖値を測定後に通常食直前尿糖値を測定するための機能）とモード４（食後尿糖値の測定の結果如何によって、再度食後尿糖値を測定するための機能）とを示す。
【００８６】
そして、操作ボタン２４（２４ａ、２４ｂ）により付加モードが選択された場合（ステップＳ２で「有り」）には、この選択された付加モードを設定登録し、表示装置２９においてモード「３」、モード「４」又はモード「３、４」を点灯表示する（ステップＳ３）。一方、操作ボタン２４（２４ａ、２４ｂ）により付加モードが選択されなかった場合（ステップＳ２で「無し」）には、付加モードを非設定として登録し、表示装置２９においてモード「３」及び「４」を消灯する。（ステップＳ４）。
【００８７】
続いて、マイクロコンピュータ３２において、操作ボタン２４（２４ａ、２４ｂ）から基本モードが選択されたか否かを判定する（ステップＳ５）。ここで、基本モードとは、モード１（尿糖変化値を測定し、身体内の糖量変化の可否を判定するための機能）とモード２（食差尿糖変化値を測定し、通常の食事内容の可否を判定するための機能）とを示す。
【００８８】
そして、操作ボタン２４（２４ａ、２４ｂ）によりモード２が選択された場合（ステップＳ５で「モード２」）には、選択されたモード２を設定登録し、表示装置２９においてモード「２」を点灯表示し、後述するステップＳ６に進む。一方、操作ボタン２４（２４ａ、２４ｂ）によりモード１が選択された場合（ステップＳ５で「モード１」）には、選択されたモード１を設定登録し、表示装置２９においてモード「１」を点灯表示し、引き続いてマイクロコンピュータ３２において、モード３が設定されているか否かを判定する（ステップＳ７）。
【００８９】
そして、モード３が設定されている場合（ステップＳ７で「有り」）において、尿糖センサ１３により尿中における糖成分を検出すると、マイクロコンピュータ３２によりセンサ駆動回路２６とＡ／Ｄ変換装置２７とを経た検出信号を取り込み、演算及び制御装置３３によりこの検出信号を食前尿糖値Ａ１として演算し、記憶補助装置３７によりこの食前尿糖値Ａ１を記憶し、表示装置２９により次測定予告「１」時間後を点灯表示する（ステップＳ８）。次いで、時計３６により１時間を計時後、ブザー２８により食直前における尿糖測定をする旨を報知するためのブザー音を発生する（ステップＳ９）。
【００９０】
続いて、モード３が設定されていない場合（ステップＳ７で「無し」）又はステップＳ９後において、尿糖センサ１３により尿中における糖成分を検出すると、マイクロコンピュータ３２によりセンサ駆動回路２６とＡ／Ｄ変換装置２７とを経た検出信号を取り込み、演算及び制御装置３３によりこの検出信号を食直前尿糖値Ｂ１として演算し、記憶補助装置３７によりこの食直前尿糖値Ｂ１を記憶し、表示装置２９により次測定予告「２」時間後を点灯表示する（ステップＳ１０）。なお、この食直前尿糖値Ｂ１の測定直後において、被測定者による食事が行われる。次いで、時計３６により２時間を計時後、ブザー２８により食後における尿糖測定をする旨を報知するためのブザー音を発生する（ステップＳ１１）。
【００９１】
続いて、尿糖センサ１３により尿中における糖成分を検出すると、マイクロコンピュータ３２によりセンサ駆動回路２６とＡ／Ｄ変換装置２７とを経た検出信号を取り込み、演算及び制御装置３３によりこの検出信号を食後尿糖値Ｃ１として演算し、記憶補助装置３７によりこの食後尿糖値Ｃ１を記憶する（ステップＳ１２）。
【００９２】
続いて、演算及び制御装置３３によりこれら食後尿糖値Ｃ１と食直前尿糖値Ｂ１との差を尿糖変化値Ｘ１として演算し、記憶補助装置３７によりこの尿糖変化値Ｘ１を記憶する（ステップＳ１３）。
【００９３】
続いて、演算及び制御装置３３によりこの演算した尿糖変化値Ｘ１が２０mg/dl以下の場合には「良好」、２０mg/dlを超え５０mg/dl以下の場合には「やや高い」、５０mg/dlを超える場合には「高い」と判定し、記憶補助装置３７によりこの判定結果を記憶する。次いで、表示装置２９によりこれら尿糖変化値Ｘ１と判定結果（外体２２に印刷された判定内容に該当する位置の「三角マーク」）とを表示し、また、外部入出力インターフェース端子３０によりこれら尿糖変化値Ｘ１と判定結果とを出力する（ステップＳ１４）。
【００９４】
続いて、マイクロコンピュータ３２において、モード４が設定されているか否かを判定する（ステップＳ１５）。そして、モード４が設定されている場合（ステップＳ１５で「有り」）には、先の判定結果が「良好」であったか否かを判定する（ステップＳ１６）。次いで、先の判定結果が「良好」でなかった場合（ステップＳ１６で「ＮＯ」）には、表示装置２９により次測定予告「１」時間後を点灯表示し、時計３６により１時間を計時後、ブザー２８により再度先の食後における尿糖測定をする旨を報知するためのブザー音を発生し（ステップＳ１７）、ステップＳ１２に戻りの処理を繰り返す。
【００９５】
また、モード４が設定されていない場合（ステップＳ１５で「無し」）又は先の判定結果が「良好」であった場合（ステップＳ１６で「ＹＥＳ」）には、この一連の処理を終了する（ステップＳ１８）。
【００９６】
引き続いて、上記の一連の処理において、ステップＳ６に進んだ場合（操作ボタン２４（２４ａ、２４ｂ）によりモード２が選択された場合）について説明する。
【００９７】
操作ボタン２４（２４ａ、２４ｂ）によりモード２が選択された場合（ステップＳ５で「モード２」）には、マイクロコンピュータ３２において、操作ボタン２４（２４ａ、２４ｂ）から食事内容（基準食又は通常食）が選択されたか否かを判定する（ステップＳ３１）。より具体的に詳述すると、マイクロコンピュータ３２は、一方の操作ボタン２４ａが押されると基準食を選択し、他方の操作ボタン２４ｂが押されると通常食を選択する。
【００９８】
そして、基準食が選択された場合（ステップＳ３１で「基準食」）には、モード３が設定されているか否かを判定する（ステップＳ３２）。
【００９９】
そして、モード３が設定されている場合（ステップＳ３２で「有り」）において、尿糖センサ１３により尿中における糖成分を検出すると、マイクロコンピュータ３２によりセンサ駆動回路２６とＡ／Ｄ変換装置２７とを経た検出信号を取り込み、演算及び制御装置３３によりこの検出信号を基準食前尿糖値Ａ２として演算し、記憶補助装置３７によりこの基準食前尿糖値Ａ２を記憶し、表示装置２９により次測定予告「１」時間後を点灯表示する（ステップＳ３３）。次いで、時計３６により１時間を計時後、ブザー２８により基準食直前における尿糖測定をする旨を報知するためのブザー音を発生する（ステップＳ３４）。
【０１００】
続いて、モード３が設定されていない場合（ステップＳ３２で「無し」）又はステップＳ３４後において、尿糖センサ１３により尿中における糖成分を検出すると、マイクロコンピュータ３２によりセンサ駆動回路２６とＡ／Ｄ変換装置２７とを経た検出信号を取り込み、演算及び制御装置３３によりこの検出信号を基準食直前尿糖値Ｂ２として演算し、記憶補助装置３７によりこの基準食直前尿糖値Ｂ２を記憶し、表示装置２９により次測定予告「２」時間後を点灯表示する（ステップＳ３５）。なお、この基準食直前尿糖値Ｂ２の測定直後において、被測定者による基準食事が行われる。次いで、時計３６により２時間を計時後、ブザー２８により基準食後における尿糖測定をする旨を報知するためのブザー音を発生する（ステップＳ３６）。
【０１０１】
続いて、尿糖センサ１３により尿中における糖成分を検出すると、マイクロコンピュータ３２によりセンサ駆動回路２６とＡ／Ｄ変換装置２７とを経た検出信号を取り込み、演算及び制御装置３３によりこの検出信号を基準食後尿糖値Ｃ２として演算し、記憶補助装置３７によりこの基準食後尿糖値Ｃ２を記憶する（ステップＳ３７）。
【０１０２】
続いて、演算及び制御装置３３によりこれら基準食後尿糖値Ｃ２と基準食直前尿糖値Ｂ２との差を基準尿糖変化値Ｘ２として演算し、記憶補助装置３７によりこの基準尿糖変化値Ｘ２を記憶し（ステップＳ３８）、表示装置２９によりこの基準尿糖変化値Ｘ２を表示する（ステップＳ３９）。
【０１０３】
遡って、通常食が選択された場合（ステップＳ３１で「通常食」）には、モード３が設定されているか否かを判定する（ステップＳ４０）。
【０１０４】
そして、モード３が設定されている場合（ステップＳ４０で「有り」）において、尿糖センサ１３により尿中における糖成分を検出すると、マイクロコンピュータ３２によりセンサ駆動回路２６とＡ／Ｄ変換装置２７とを経た検出信号を取り込み、演算及び制御装置３３によりこの検出信号を通常食前尿糖値Ａ３として演算し、記憶補助装置３７によりこの通常食前尿糖値Ａ３を記憶し、表示装置２９により次測定予告「１」時間後を点灯表示する（ステップＳ４１）。次いで、時計３６により１時間を計時後、ブザー２８により通常食直前における尿糖測定をする旨を報知するためのブザー音を発生する（ステップＳ４２）。
【０１０５】
続いて、モード３が設定されていない場合（ステップＳ４０で「無し」）又はステップＳ４２後において、尿糖センサ１３により尿中における糖成分を検出すると、マイクロコンピュータ３２によりセンサ駆動回路２６とＡ／Ｄ変換装置２７とを経た検出信号を取り込み、演算及び制御装置３３によりこの検出信号を通常食直前尿糖値Ｂ３として演算し、記憶補助装置３７によりこの通常食直前尿糖値Ｂ３を記憶し、表示装置２９により次測定予告「２」時間後を点灯表示する（ステップＳ４３）。なお、この通常食直前尿糖値Ｂ３の測定直後において、被測定者による通常食事が行われる。次いで、時計３６により２時間を計時後、ブザー２８により通常食後における尿糖測定をする旨を報知するためのブザー音を発生する（ステップＳ４４）。
【０１０６】
続いて、尿糖センサ１３により尿中における糖成分を検出すると、マイクロコンピュータ３２によりセンサ駆動回路２６とＡ／Ｄ変換装置２７とを経た検出信号を取り込み、演算及び制御装置３３によりこの検出信号を通常食後尿糖値Ｃ３として演算し、記憶補助装置３７によりこの通常食後尿糖値Ｃ３を記憶する（ステップＳ４５）。
【０１０７】
続いて、演算及び制御装置３３によりこれら通常食後尿糖値Ｃ３と通常食直前尿糖値Ｂ３との差を通常尿糖変化値Ｘ３として演算し、記憶補助装置３７によりこの通常尿糖変化値Ｘ３を記憶する（ステップＳ４６）。
【０１０８】
続いて、演算及び制御装置３３により通常尿糖変化値Ｘ３と基準尿糖変化値Ｘ２との差を食差尿糖変化値Ｘ４として演算し、記憶補助装置３７によりこの食差尿糖変化値Ｘ４を記憶する（ステップＳ４７）。
【０１０９】
続いて、演算及び制御装置３３によりこの演算した食差尿糖変化値Ｘ４が−５０mg/dl未満の場合には「少ない」、−５０mg/dl以上５０mg/dl以下の場合には「同等」、５０mg/dlを超える場合には「多い」と判定し、記憶補助装置３７によりこの判定結果を記憶する。次いで、表示装置２９によりこれら食差尿糖変化値Ｘ４と判定結果（外体２２に印刷された判定内容に該当する位置の「三角マーク」）とを表示し、また、外部入出力インターフェース端子３０によりこれら食差尿糖変化値Ｘ４と判定結果とを出力し（ステップＳ４８）、このモード２を抜け、一連の処理を終了する（ステップＳ１８）。
【０１１０】
なお、上記における食前・食直前・食後・基準食前・基準食直前・基準食後・通常食前・通常食直前・通常食後の尿糖測定は、図７に示すように、尿糖計１を手に保持し、尿糖センサ１３部分にトイレ５１で尿をかけたり、図９に示すように、容器５２に尿を溜め、尿糖計１を手に保持し、尿糖センサ１３部分をつけたりすることによって行う。
【０１１１】
以上が、本発明に係わる尿糖計について具体的に説明した実施例であるが、操作ボタンから食事データを入力し、記憶補助装置３７によりこの食事データを継続して記憶しておき、後に、テキストベースや画像として呼び出したり、検索したりするようにしてもよい。
【図面の簡単な説明】
【０１１２】
【図１】本発明に係わる尿糖計を分解して示す外観図である。
【図２】本発明に係わる尿糖計の保管状態を示す外観図である。
【図３】本発明に係わる尿糖計の構成を示すブロック図である。
【図４】図１における表示部の表示形態を示す図である。
【図５】本発明に係わる尿糖計の取扱、操作及び動作についての手順を示すメインフローチャートである。
【図６】本発明に係わる尿糖計の取扱、操作及び動作についての手順を示すサブルーチンフローチャートである。
【図７】トイレで尿を測定する場合の状態を示す測定状態図である。
【図８】容器に溜めた尿を測定する場合の状態を示す測定状態図である。
【符号の説明】
【０１１３】
１  尿糖計
１１  センサカートリッジ
１２、２２  外体
１３  尿糖センサ
１４  サーミスタ
１５  スタンド検出リードスイッチ
１６、３１  コネクタ
１７  コネクタ接続検出回路
２１  本体
２３  電源
２４（２４ａ、２４ｂ）  操作ボタン
２５  Ｄ／Ａ変換装置
２６  センサ駆動回路
２７  Ａ／Ｄ変換装置
２８  ブザー
２９  表示装置
３０  外部入出力インターフェース端子
３２  マイクロコンピュータ
３３  演算及び制御装置
３４  ＲＯＭ
３５  ＲＡＭ
３６  時計
３７  記憶補助装置
３８  外部入出力インターフェース
４１  スタンド
４２  磁石
５１  トイレ
５２  容器
【図１】
2006153849.tif 000003
【図２】
2006153849.tif 000004
【図３】
2006153849.tif 000005
【図４】
2006153849.tif 000006
【図５】
2006153849.tif 000007
【図６】
2006153849.tif 000008
【図７】
2006153849.tif 000009
【図８】
2006153849.tif 000010